【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
複数の凹部を有する基板と、
前記複数の凹部を覆うように前記基板上に形成された平坦化層と、
前記平坦化層上に前記複数の凹部と重なるように形成された複数の発光素子と、
光学系とを有し、
前記複数の発光素子から発振されるレーザ光の光軸は、前記平坦化層の平坦化された面と交差しており、
前記基板は前記複数の凹部において曲面を有し、
前記基板は前記平坦化層に比べて屈折率が低く、
前記基板が有する前記曲面において反射した前記レーザ光は、前記光学系によってスクリーンに投射されることを特徴とするプロジェクター。
【請求項２】
複数の凹部を有する基板と、
前記複数の凹部を覆うように前記基板上に形成された反射膜と、
前記反射膜上に形成された平坦化層と、
前記平坦化層上に前記複数の凹部と重なるように形成された複数の発光素子と、
光学系とを有し、
前記複数の発光素子から発振されるレーザ光の光軸は、前記平坦化層の平坦化された面と交差しており、
前記基板は前記複数の凹部において曲面を有し、
前記反射膜は、前記基板の前記複数の凹部において曲面を有し、
前記反射膜が有する前記曲面において反射した前記レーザ光は、前記光学系によってスクリーンに投射されることを特徴とするプロジェクター。
【請求項３】
複数の凹部を有する基板と、
前記複数の凹部を覆うように前記基板上に形成された平坦化層と、
前記平坦化層上に前記複数の凹部と重なるように形成された複数の発光素子と、
光学系とを有し、
前記複数の各発光素子は、前記平坦化層上に形成された第１の電極と、前記第１の電極上に形成された電界発光層と、前記電界発光層上に形成された第２の電極とを有し、
前記電界発光層で発生した光が前記第１の電極と前記第２の電極の間で共振されることで、前記第１の電極からレーザ光が前記凹部に向かって発振され、
前記基板は前記複数の凹部において曲面を有し、
前記基板は前記平坦化層に比べて屈折率が低く、
前記基板が有する前記曲面において反射した前記レーザ光は、前記光学系によってスクリーンに投射されることを特徴とするプロジェクター。
【請求項４】
複数の凹部を有する基板と、
前記複数の凹部を覆うように前記基板上に形成された反射膜と、
前記反射膜上に形成された平坦化層と、
前記平坦化層上に前記複数の凹部と重なるように形成された複数の発光素子と、
光学系とを有し、
前記複数の各発光素子は、前記平坦化層上に形成された第１の電極と、前記第１の電極上に形成された電界発光層と、前記電界発光層上に形成された第２の電極とを有し、
前記電界発光層で発生した光が前記第１の電極と前記第２の電極の間で共振されることで、前記第１の電極からレーザ光が前記凹部に向かって発振され、
前記基板は前記複数の凹部において曲面を有し、
前記反射膜は、前記基板の前記複数の凹部において曲面を有し、
前記反射膜が有する前記曲面において反射した前記レーザ光は、前記光学系によってスクリーンに投射されることを特徴とするプロジェクター。
【請求項５】
複数の凹部を有する基板と、
前記複数の凹部を覆うように前記基板上に形成された平坦化層と、
前記平坦化層上に形成された反射膜と、
前記複数の凹部と重なるように前記反射膜上に形成された複数の発光素子と、
光学系とを有し、
前記複数の各発光素子は、前記反射膜上に形成された第１の電極と、前記第１の電極上に形成された電界発光層と、前記電界発光層上に形成された第２の電極とを有し、
前記電界発光層で発生した光が前記反射膜と前記第２の電極の間で共振されることで、前記反射膜からレーザ光が前記凹部に向かって発振され、
前記基板は前記複数の凹部において曲面を有し、
前記基板は前記平坦化層に比べて屈折率が低く、
前記基板が有する前記曲面において反射した前記レーザ光は、前記光学系によってスクリーンに投射されることを特徴とするプロジェクター。
【請求項６】
複数の凹部を有する基板と、
前記複数の凹部を覆うように前記基板上に形成された第１の反射膜と、
前記第１の反射膜上に形成された平坦化層と、
前記平坦化層上に形成された第２の反射膜と、
前記複数の凹部と重なるように前記第２の反射膜上に形成された複数の発光素子と、
光学系とを有し、
前記複数の各発光素子は、前記第２の反射膜上に形成された第１の電極と、前記第１の電極上に形成された電界発光層と、前記電界発光層上に形成された第２の電極とを有し、
前記電界発光層で発生した光が前記第２の反射膜と前記第２の電極の間で共振されることで、前記第２の反射膜からレーザ光が前記凹部に向かって発振され、
前記基板は前記複数の凹部において曲面を有し、
前記第１の反射膜は、前記基板の前記複数の凹部において曲面を有し、
前記第１の反射膜が有する前記曲面において反射した前記レーザ光は、前記光学系によってスクリーンに投射されることを特徴とするプロジェクター。
【請求項７】
複数の発光素子と、
前記複数の発光素子を覆うように形成された透光性を有する凸部層と、
光学系とを有し、
前記凸部層は前記複数の発光素子と重なるように複数の凸部を有し、
前記複数の発光素子から発振されるレーザ光の光軸は、前記透光性を有する層と交差しており、
前記透光性を有する層は前記複数の凸部において曲面を有し、
前記曲面において屈折した前記レーザ光は、前記光学系によってスクリーンに投射されることを特徴とするプロジェクター。
【請求項８】
基板上に形成された複数の発光素子と、
前記複数の発光素子を覆うように形成された透光性を有する凸部層と、
光学系とを有し、
前記凸部層は前記複数の発光素子と重なるように複数の凸部を有し、
前記複数の各発光素子は、前記基板上に形成された第１の電極と、前記第１の電極上に形成された電界発光層と、前記電界発光層上に形成された第２の電極とを有し、
前記電界発光層で発生した光が前記第１の電極と前記第２の電極の間で共振されることで、前記第２の電極からレーザ光が前記凸部に向かって発振され、
前記凸部層は前記複数の凸部において曲面を有し、
前記曲面において屈折した前記レーザ光は、前記光学系によってスクリーンに投射されることを特徴とするプロジェクター。
【請求項９】
基板上に形成された反射膜と、
前記反射膜上に形成された複数の発光素子と、
前記複数の発光素子を覆うように形成された透光性を有す凸部層と、
光学系とを有し、
前記凸部層は前記複数の発光素子と重なるように複数の凸部を有し、
前記複数の各発光素子は、前記反射膜上に形成された第１の電極と、前記第１の電極上に形成された電界発光層と、前記電界発光層上に形成された第２の電極とを有し、
前記電界発光層で発生した光が前記反射膜と前記第２の電極の間で共振されることで、前記第２の電極からレーザ光が前記凸部に向かって発振され、
前記凸部層は前記複数の凸部において曲面を有し、
前記曲面において屈折した前記レーザ光は、前記光学系によってスクリーンに投射されることを特徴とするプロジェクター。
【請求項１０】
複数の凹部を有する基板と、
前記複数の凹部を覆うように前記基板上に形成された透光性を有する平坦化層と、
前記平坦化層上に前記複数の凹部と重なるように形成された複数の発光素子と、
前記複数の発光素子を覆うように形成された透光性を有する凸部層と、
光学系とを有し、
前記凸部層は前記複数の発光素子と重なるように複数の凸部を有し、
前記基板は前記複数の凹部において曲面を有し、
前記凸部層は前記複数の凸部において曲面を有し、
前記複数の発光素子から発振されるレーザ光の光軸は、前記平坦化層の平坦化された面と交差しており、
前記基板は前記平坦化層に比べて屈折率が低く、
前記基板が有する前記曲面において反射した前記レーザ光は、前記凸部層が有する前記曲面において屈折した後、前記光学系によってスクリーンに投射されることを特徴とするプロジェクター。
【請求項１１】
複数の凹部を有する基板と、
前記複数の凹部を覆うように前記基板上に形成された反射膜と、
前記反射膜上に形成された透光性を有する平坦化層と、
前記平坦化層上に前記複数の凹部と重なるように形成された複数の発光素子と、
前記複数の発光素子を覆うように形成された透光性を有する凸部層と、
光学系とを有し、
前記凸部層は前記複数の発光素子と重なるように複数の凸部を有し、
前記基板は前記複数の凹部において曲面を有し、
前記凸部層は前記複数の凸部において曲面を有し、
前記反射膜は、前記基板の前記複数の凹部において曲面を有し、
前記複数の発光素子から発振されるレーザ光の光軸は、前記平坦化層の平坦化された面と交差しており、
前記基板は前記平坦化層に比べて屈折率が低く、
前記反射膜が有する前記曲面において反射した前記レーザ光は、前記凸部層が有する前記曲面において屈折した後、前記光学系によってスクリーンに投射されることを特徴とするプロジェクター。
【請求項１２】
複数の凹部を有する第１の電極と、
前記複数の凹部を覆うように前記第１の電極上に形成された電界発光層と、
前記電界発光層上に前記複数の凹部と重なるように形成された第２の電極と、
光学系とを有し、
前記第１の電極は前記複数の凹部において曲面を有し、
前記曲面の曲率中心は前記第２の電極側に存在し、
前記第２の電極は平面を有し、
前記電界発光層で発生した光が前記第１の電極と前記第２の電極の間で共振されることで、前記第２の電極からレーザ光が発振され、
前記レーザ光は、前記光学系によってスクリーンに投射されることを特徴とするプロジェクター。
【請求項１３】
複数の凹部を有する基板と、
前記複数の凹部を覆うように前記基板上に形成された平坦化層と、
前記平坦化層上に前記複数の凹部と重なるように形成された複数の発光素子と、
光学系とを有し、
前記複数の各発光素子は、前記平坦化層上に形成された第１の電極と、前記第１の電極上に形成された電界発光層と、前記電界発光層上に形成された第２の電極とを有し、
前記基板は前記複数の凹部において曲面を有し、
前記曲面の曲率中心は前記発光素子における前記第２の電極側に存在し、
前記基板は前記平坦化層に比べて屈折率が低く、
前記電界発光層で発生した光が前記基板と前記第２の電極の間で共振されることで、前記第２の電極からレーザ光が発振され、
前記レーザ光は、前記光学系によってスクリーンに投射されることを特徴とするプロジェクター。
【請求項１４】
複数の凹部を有する第１の電極と、
前記複数の凹部を覆うように前記第１の電極上に形成された電界発光層と、
前記電界発光層上に前記複数の凹部と重なるように形成された第２の電極と、
前記第２の電極上に形成された、複数の凸部を有する凸部層と、
前記複数の凸部を有する層を覆うように形成された反射膜と、
光学系とを有し、
前記第１の電極は前記複数の凹部において曲面を有し、
前記反射膜は前記複数の凸部において曲面を有し、
前記第１の電極が有する前記曲面の曲率中心は前記第２の電極側に存在し、
前記反射膜が有する前記曲面の曲率中心は前記第１の電極側に存在し、
前記凸部層は前記反射膜に比べて屈折率が低く、
前記電界発光層で発生した光が前記第１の電極と前記反射膜の間で共振されることで、前記第２の電極からレーザ光が発振され、
前記レーザ光は、前記光学系によってスクリーンに投射されることを特徴とするプロジェクター。
【請求項１５】
複数の凹部を有する基板と、
前記複数の凹部を覆うように前記基板上に形成された平坦化層と、
前記平坦化層上に前記複数の凹部と重なるように形成された複数の発光素子と、
前記複数の発光素子上に形成された、複数の凸部を有する第１の層と、
前記複数の凸部を有する層を覆うように形成された第２の層と、
光学系とを有し、
前記複数の各発光素子は、前記平坦化層上に形成された第１の電極と、前記第１の電極上に形成された電界発光層と、前記電界発光層上に形成された第２の電極とを有し、
前記基板は前記複数の凹部において曲面を有し、
前記第２の層は前記複数の凸部において曲面を有し、
前記基板が有する前記曲面の曲率中心は前記発光素子における前記第２の電極側に存在し、
前記第２の層が有する前記曲面の曲率中心は前記発光素子における前記第１の電極側に存在し、
前記基板は前記平坦化層に比べて屈折率が低く、
前記第１の層は前記第２の層に比べて屈折率が高く、
前記電界発光層で発生した光が前記基板と前記第２の層の間で共振されることで、前記第２の層からレーザ光が発振され、
前記レーザ光は、前記光学系によってスクリーンに投射されることを特徴とするプロジェクター。
【請求項１６】
複数の凹部を有する第１の電極と、
前記複数の凹部を覆うように前記第１の電極上に形成された電界発光層と、
前記電界発光層上に前記複数の凹部と重なるように形成された第２の電極と、
前記第２の電極上に形成された複数の凸部を有する層と、
光学系とを有し、
前記第１の電極は前記複数の凹部において曲面を有し、
前記曲面の曲率中心は前記第２の電極側に存在し、
前記第２の電極は平面を有し、
前記電界発光層で発生した光が前記第１の電極と前記第２の電極の間で共振されることで、前記第２の電極からレーザ光が発振され、
前記凸部層が有する前記曲面において屈折した前記レーザ光は、前記光学系によってスクリーンに投射されることを特徴とするプロジェクター。
【請求項１７】
複数の凸部を有する第１の電極と、
前記複数の凸部と重なるように前記第１の電極上に形成された電界発光層と、
前記電界発光層上に前記複数の凸部と重なるように形成された第２の電極と、
光学系とを有し、
前記第１の電極は前記複数の凸部において曲面を有し、
前記曲面の曲率中心は前記第１の電極側に存在し、
前記電界発光層で発生した光が前記第１の電極と前記第２の電極の間で共振されることで、前記第２の電極からレーザ光が発振され、
前記レーザ光は、前記光学系によってスクリーンに投射されることを特徴とするプロジェクター。
【請求項１８】
複数の凹部を有する第１の電極と、
前記複数の凹部と重なるように前記第１の電極上に形成された電界発光層と、
前記電界発光層上に前記複数の凹部と重なるように形成された第２の電極と、
光学系とを有し、
前記第１の電極は前記複数の凹部において曲面を有し、
前記曲面の曲率中心は前記第２の電極側に存在し、
前記電界発光層で発生した光が前記第１の電極と前記第２の電極の間で共振されることで、前記第２の電極からレーザ光が発振され、
前記曲面の曲率半径は、前記レーザ光の光路の延長線上における前記第１の電極と前記第２の電極の間隔よりも短く、
前記レーザ光は、前記光学系によってスクリーンに投射されることを特徴とするプロジェクター。
【請求項１９】
複数の凸部を有する反射材と、
前記複数の凸部と重なるように前記反射材上に形成され、かつ透光性を有する第１の電極と、
前記複数の凸部と重なるように前記第１の電極上に形成された電界発光層と、
前記電界発光層上に前記複数の凸部と重なるように形成された第２の電極と、
光学系とを有し、
前記反射材は前記複数の凸部において曲面を有し、
前記曲面の曲率中心は前記第１の電極側に存在し、
前記電界発光層で発生した光が前記反射材と前記第２の電極の間で共振されることで、前記第２の電極からレーザ光が発振され、
前記レーザ光は、前記光学系によってスクリーンに投射されることを特徴とするプロジェクター。
【請求項２０】
複数の凹部を有する反射材と、
前記複数の凹部と重なるように前記反射材上に形成され、かつ透光性を有する第１の電極と、
前記複数の凹部と重なるように前記第１の電極上に形成された電界発光層と、
前記電界発光層上に前記複数の凹部と重なるように形成された第２の電極と、
光学系とを有し、
前記反射材は前記複数の凹部において曲面を有し、
前記曲面の曲率中心は前記第２の電極側に存在し、
前記電界発光層で発生した光が前記反射材と前記第２の電極の間で共振されることで、前記第２の電極からレーザ光が発振され、
前記曲面の曲率半径は、前記レーザ光の光路の延長線上における前記反射材と前記第２の電極の間隔よりも短く、
前記レーザ光は、前記光学系によってスクリーンに投射されることを特徴とするプロジェクター。
【手続補正２】
【補正対象書類名】明細書
【補正対象項目名】００４３
【補正方法】変更
【補正の内容】
【００４３】
図２（Ａ）に、第２の構成のレーザ素子を有するパネルの上面図を、一例として示す。また図２（Ｂ）に、図２（Ａ）のＡ−Ａ’における断面図を示す。
【手続補正３】
【補正対象書類名】明細書
【補正対象項目名】００４４
【補正方法】変更
【補正の内容】
【００４４】
図２（Ａ）、図２（Ｂ）に示すパネルは、複数の凹部２００を有する基板２０１上に、複数の各凹部２００と重なるように電極２０３が形成されている。電極２０３は、光を反射するような材料で形成されており、反射材として機能する。
【手続補正４】
【補正対象書類名】明細書
【補正対象項目名】００４５
【補正方法】変更
【補正の内容】
【００４５】
そして複数の凹部２００と重なるように、電極２０３上に、赤（Ｒ）、緑（Ｇ）、青（Ｂ）の三色に対応する電界発光層２０４ａ〜２０４ｃが形成されている。なお図２（Ａ）、図２（Ｂ）では、電界発光層２０４ａ〜２０４ｃが分離して形成されているが、互いに一部重なるように形成されていても良い。また電界発光層２０４ａ〜２０４ｃ上に、複数の凹部２００と重なるように、電極２０５が形成されている。
【手続補正５】
【補正対象書類名】明細書
【補正対象項目名】００４６
【補正方法】変更
【補正の内容】
【００４６】
なお電極２０３、２０５は、一方が陽極であり他方は陰極である。図２（Ａ）、図２（Ｂ）では電極２０３を陽極、電極２０５を陰極とする例を示すが、電極２０３を陰極、電極２０５を陽極としても良い。
【手続補正６】
【補正対象書類名】明細書
【補正対象項目名】００４７
【補正方法】変更
【補正の内容】
【００４７】
また図２（Ａ）、図２（Ｂ）では、発光層を含む複数の層で電界発光層２０４ａ〜２０４ｃを形成しているが、電界発光層２０４ａ〜２０４ｃは発光層だけを含んでいても良い。また、スピンコート法で膜の形成が可能な高分子系の電界発光材料を、電界発光層に含まれるいずれかの層に用いることで、平坦化を容易に行なうことができる。電界発光層２０４ａ〜２０４ｃが複数の層で形成されている場合、電界発光層のうち電極２０３と発光層との間に設けられる層を、その表面が平坦化されるように形成する。例えば、電極２０３が陽極である場合、ＰＥＤＯＴなどの高分子系の電界発光材料で、表面が平坦化されたホール注入層またはホール輸送層を形成しても良い。また例えば、電極２０３が陰極である場合、電子注入層または電子輸送層の表面を平坦化するように形成する。
【手続補正７】
【補正対象書類名】明細書
【補正対象項目名】００４８
【補正方法】変更
【補正の内容】
【００４８】
図２（Ａ）、図２（Ｂ）では、複数の電極２０３の列と、複数の電極２０５の列とが、間に電界発光層２０４ａ〜２０４ｃを挟んで、交差するように重なっている。該重なっている部分は発光素子２０６に相当し、各発光素子２０６は凹部２００に位置している。
【手続補正８】
【補正対象書類名】明細書
【補正対象項目名】００４９
【補正方法】変更
【補正の内容】
【００４９】
図２（Ａ）、図２（Ｂ）に示すパネルはパッシブマトリクスであり、選択された電極２０３、電極２０５間に順方向バイアスの電圧を印加することで、電界発光層２０４ａ〜２０４ｃに電流が供給され、電界発光層２０４ａ〜２０４ｃを発光させることができる。そして発せられた光が２つの反射材、ここでは反射材として機能する電極２０３と電極２０５間で共振することで、レーザ光が発振される。
【手続補正９】
【補正対象書類名】明細書
【補正対象項目名】００５１
【補正方法】変更
【補正の内容】
【００５１】
なお電極２０３は、基板２０１の凹部２００において曲面を有しており、該曲面の曲率中心が、電極２０５側に存在している。そして図２（Ａ）、図２（Ｂ）では、電界発光層２０４ａ〜２０４ｃの電極２０５側の面は平坦化されており、平坦化された電界発光層２０４ａ〜２０４ｃ上に形成された電極２０５は、平面を有している。よって、反射材として機能する２つの電極２０３、２０５は、一方が曲面を、他方が平面を有するので、図２（Ａ）、図２（Ｂ）に示すパネルは半球面系に相当する。そして図２（Ａ）、図２（Ｂ）に示すパネルは、光共振器が安定形共振器であり、共振器長に相当する電極２０３と電極２０５の間の距離Ｌと、焦点距離ｆが、ｆ≧Ｌ／２を満たすようにする。共振器長は、発振されるレーザ光の光路の延長線上における、２つの反射材の間隔に相当するものとする。上記構成により、電極２０５側から発振されるレーザ光の、発振効率を高めることができる。
【手続補正１０】
【補正対象書類名】明細書
【補正対象項目名】００５２
【補正方法】変更
【補正の内容】
【００５２】
なお図２（Ａ）、図２（Ｂ）では、２つの反射材の一方が曲面を、他方が平面を有する半球面系であるが、２つの反射材が共に曲面を有する共焦点系、共心系または球面系であっても良い。また半球面系の場合、レーザ光を屈折させて指向性を高めることができる凸部を、発光素子と重なるように設けても良い。
【手続補正１１】
【補正対象書類名】明細書
【補正対象項目名】００５３
【補正方法】変更
【補正の内容】
【００５３】
また図２（Ａ）、図２（Ｂ）では、凹部２００を有する基板２０１を用いることで、曲面を有する電極２０３を形成しているが、本発明はこの構成に限定されない。凹部を有する層上に形成することなく、電極２０３に直接、曲面を有する凹部を形成しても良い。
【手続補正１２】
【補正対象書類名】明細書
【補正対象項目名】００５４
【補正方法】変更
【補正の内容】
【００５４】
また図２（Ａ）、図２（Ｂ）では、反射材として発光素子の電極を用いているが、本発明はこの構成に限定されない。電極以外の膜または基板を、反射材として用いても良い。この場合、電極は透光性を有する材料で形成する。
【手続補正１３】
【補正対象書類名】明細書
【補正対象項目名】００５５
【補正方法】変更
【補正の内容】
【００５５】
また図２（Ａ）、図２（Ｂ）では、Ｒ、Ｇ、Ｂに対応する電界発光層を設けているが、モノクロの表示を行なう場合、電界発光層は１つでよい。
【手続補正１４】
【補正対象書類名】明細書
【補正対象項目名】００５８
【補正方法】変更
【補正の内容】
【００５８】
図３（Ａ）に、第３の構成のレーザ素子を有するパネルの上面図を、一例として示す。また図３（Ｂ）に、図３（Ａ）のＡ−Ａ’における断面図を示す。
【手続補正１５】
【補正対象書類名】明細書
【補正対象項目名】００５９
【補正方法】変更
【補正の内容】
【００５９】
図３（Ａ）、図３（Ｂ）に示すパネルは、複数の凸部３００を有する基板３０１上に、複数の凸部３００と重なるように反射膜３０２が形成されている。凸部３００は曲面を有しており、該曲面の曲率中心は、基板３０１の発光素子１０２とは反対の側に存在している。また図３（Ａ）、図３（Ｂ）では、凸部３００を有する基板３０１を用いているが、平坦な基板上に基板とは異なる膜を用いて凸部を形成していても良い。
【手続補正１６】
【補正対象書類名】明細書
【補正対象項目名】００６２
【補正方法】変更
【補正の内容】
【００６２】
そして、複数の凸部３００と重なるように、電極３０３上に、赤（Ｒ）、緑（Ｇ）、青（Ｂ）の三色に対応する電界発光層３０４ａ〜３０４ｃが形成されている。なお図３（Ａ）、図３（Ｂ）では、電界発光層３０４ａ〜３０４ｃが分離して形成されているが、互いに一部重なるように形成されていても良い。また電界発光層３０４ａ〜３０４ｃ上に、複数の凸部３００と重なるように、電極３０５が形成されている。
【手続補正１７】
【補正対象書類名】明細書
【補正対象項目名】００６３
【補正方法】変更
【補正の内容】
【００６３】
なお電極３０３、３０５は、一方が陽極であり他方は陰極である。図３（Ａ）、図３（Ｂ）では電極３０３を陽極、電極３０５を陰極とする例を示すが、電極３０３を陰極、電極３０５を陽極としても良い。
【手続補正１８】
【補正対象書類名】明細書
【補正対象項目名】００６４
【補正方法】変更
【補正の内容】
【００６４】
図３（Ａ）、図３（Ｂ）では、複数の電極３０３の列と、複数の電極３０５の列とが、間に電界発光層３０４ａ〜３０４ｃを挟んで、交差するように重なっている。該重なっている部分は発光素子３０６に相当し、各発光素子３０６は凸部３００に位置している。
【手続補正１９】
【補正対象書類名】明細書
【補正対象項目名】００６５
【補正方法】変更
【補正の内容】
【００６５】
図３（Ａ）、図３（Ｂ）に示すパネルはパッシブマトリクスであり、選択された電極３０３、電極３０５間に順方向バイアスの電圧を印加することで、電界発光層３０４ａ〜３０４ｃに電流が供給され、電界発光層３０４ａ〜３０４ｃを発光させることができる。そして発せられた光が２つの反射材、ここでは反射材として機能する反射膜３０２と電極３０５間で共振することで、レーザ光が発振される。
【手続補正２０】
【補正対象書類名】明細書
【補正対象項目名】００７０
【補正方法】変更
【補正の内容】
【００７０】
なお図３（Ａ）、図３（Ｂ）では、凸部を有する反射材を用いて単一モードのレーザ光の発振効率を高める形態について説明したが、凹部を有する反射材を用いても良い。また図３（Ａ）、図３（Ｂ）では、基板３０１が凹凸を有する形態について説明したが、平坦な基板上に、基板とは異なる膜を用いて凹凸を形成するようにしても良い。
【手続補正２１】
【補正対象書類名】明細書
【補正対象項目名】００７１
【補正方法】変更
【補正の内容】
【００７１】
また図３（Ａ）、図３（Ｂ）では、反射材として発光素子の電極を用いているが、本発明はこの構成に限定されない。電極以外の膜または基板を、反射材として用いても良い。この場合、電極は透光性を有する材料で形成する。
【手続補正２２】
【補正対象書類名】明細書
【補正対象項目名】００７２
【補正方法】変更
【補正の内容】
【００７２】
また図３（Ａ）、図３（Ｂ）では、Ｒ、Ｇ、Ｂに対応する電界発光層を設けているが、モノクロの表示を行なう場合、電界発光層は１つでよい。